(57)【要約】      （修正有）【課題】スマートフォン等に画像を転送する場合に、リサイズ画像を効率よく転送する方法を提供する。【解決手段】スマートフォン等の外部機器とデジタルカメラが接続されている場合において、外部機器に縮小画像を転送している間は、縮小画像の現像を行わず、転送が完了した後に未転送の画像の中からカメラが最適と選択した1枚の縮小画像を作成し外部機器に転送する。【選択図】図３ｂ
2014171142.tif 000002
【特許請求の範囲】
【請求項１】
外部機器（２０２）と接続し、撮影画像の縮小画像を転送する機能を有する撮像装置（２０１）において、連続撮影中は、外部機器に縮小画像を転送しているときは、縮小画像を作成せず、転送が完了した後に未転送の画像の中からカメラが最適と選択した1枚の縮小画像を作成し外部機器に転送することを特徴とする撮像装置。
【請求項２】
連続で撮影した画像の中で、縮小画像を作成する一枚は、未転送画像の中で撮像装置（２０１）が一番AFが合焦している判断した画像とする請求項１に記載の撮像装置。
【請求項３】
連続で撮影した画像の中で、縮小画像を作成する一枚は、未転送画像の中で撮像装置（２０１）が一番手ぶれしていないと判断した画像とする請求項１に記載の撮像装置。
【請求項４】
連続で撮影した画像の中で、縮小画像を作成する一枚は、未転送画像の中で撮像装置（２０１）が一番被写体の表情がよいと判断した画像とする請求項１に記載の撮像装置。
【請求項５】
連続で撮影した画像の中で、縮小画像を作成する一枚は、請求項２、請求項３、請求項４のいずれか１項の判断基準を総合し一番よいと判断した画像とする請求項１に記載の撮像装置。
【請求項６】
連続撮影が終了した場合は、外部機器に縮小画像を転送中でも、最後に撮影した画像の縮小画像を作成する請求項１に記載の撮像装置。
【請求項７】
連続撮影が終了した場合は、未転送の画像の縮小画像を全て作成し、外部機器（２０２）に転送する請求項１に記載の撮像装置。
【発明の詳細な説明】
【技術分野】
【０００１】
本発明は、静止画像を撮影する撮影装置に関し、特に外部機器と接続しての画像転送に関するものである。
【背景技術】
【０００２】
デジタルカメラとスマートフォン等の外部機器とを接続し、外部機器からデジタルカメラ内の画像を閲覧するシステムが提案されている。
【０００３】
スマートフォン等に画像を転送する場合は、撮影した画像をそのままのサイズで転送すると、転送に時間が掛ってしまうという問題や、転送画像のサイズが大きいためスマートフォンで表示が出来ないという問題がある。
【先行技術文献】
【特許文献】
【０００４】
【特許文献１】特開2004-32593号公報
【特許文献２】特開2006-345188号公報
【発明の概要】
【発明が解決しようとする課題】
【０００５】
しかしながら、上述の特許文献１に開示された従来技術では、外部機器からの画像取得要求を受けて、記録装置から画像を読み出し転送するため、撮影直後の画像を閲覧したい場合に、記録装置に画像が記録されるのを待たなければならないという問題がある。 
【０００６】
また、上述の特許文献２に開示された従来技術では、撮影時に本画像データと縮小画像データの両方の画像を作成するため、撮影時に2枚の画像を作成する必要があるため、撮影速度に、画像処理が追い付かず、連続撮影可能枚数が低下するという問題がある（図4：丸付き数字２）。
【０００７】
そこで、本発明の目的は、スマートフォン等の外部機器とデジタルカメラを接続し、外部機器に、リサイズ画像を効率よく転送する方法を提供することである。
【課題を解決するための手段】
【０００８】
上記目的を達成するために、スマートフォン等の外部機器とデジタルカメラが接続されている場合において、外部機器に縮小画像を転送している間は、縮小画像の現像を行わず、転送が完了した後に未転送の画像の中からカメラが最適と選択した1枚の縮小画像を作成し外部機器に転送することを特徴とする（図4：丸付き数字３）。
【発明の効果】
【０００９】
本発明によれば、連写撮影中にスマートフォンでの撮影画像の表示を行う場合、ユーザーに最適な撮影画像を効率よく転送することが出来る撮像装置を提供することができる。
【図面の簡単な説明】
【００１０】
【図１】本発明の一実施形態に係わる一眼レフデジタルカメラの構成を示すブロック図である。
【図２】本発明の処理を示す概念図である。
【図３ａ】本発明の処理を示すフローチャートである。
【図３ｂ】本発明の処理を示すフローチャートである。
【図４】本発明の処理を示すタイムチャートである。
【発明を実施するための形態】
【００１１】
以下、添付図面に従って本発明に係る実施形態を詳細に説明する。
【００１２】
図１は、本発明の一実施形態に係わる一眼レフデジタルカメラの構成を示ブロック図である。
【００１３】
図１において、１０１  は撮影レンズである。１０２はＡＦ（オートフォーカス）駆動部である。ＡＦ駆動部１０２は、例えばＤＣモータやステッピングモータによって構成され、マイクロコンピュータ１２３の制御によって撮影レンズ１０１のフォーカスレンズ位置を変化させることによりピントを合わせる。
【００１４】
１０３はズーム駆動部である。ズーム駆動部１０３は、例えばＤＣモータやステッピングモータによって構成され、マイクロコンピュータ１２３の制御によって撮影レンズ１０１の変倍レンズ位置を変化させることにより撮影レンズ１０１の焦点距離を変化させる。
【００１５】
１０４は絞りである。１０５は絞り駆動部である。絞り駆動部１０５は、絞り１０４を駆動する。駆動されるべき量はマイクロコンピュータ１２３によって算出され、光学的な絞り値を変化させる。
【００１６】
１０６は撮影レンズ１０１から入射した光束をファインダ側と撮像素子側とに切替えるための主ミラーである。主ミラー１０６は常時はファインダ部へと光束を導くよう反射させるように配されているが、撮影が行われる場合には、撮像素子１１２へと光束を導くように上方に跳ね上がり光束中から待避する。また主ミラー１０６はその中央部が光の一部を透過できるようにハーフミラーとなっており、光束の一部を焦点検出を行うためのセンサに入射するように透過させる。
【００１７】
１０７は主ミラー１０６から透過してきた光束を反射させ焦点検出を行うためのセンサ（焦点検出回路１０９内に配置されている）に導くためのサブミラーである。
【００１８】
１０８はファインダーを構成するペンタプリズムである。ファインダーは他にピント板、アイピースレンズ（不図示）などによって構成させる。
【００１９】
１０９は焦点検出回路である。ミラー１０６の中央部を透過し、サブミラー１０７で反射された光束は、焦点検出回路１０９の内部に配置された光電変換を行うためのセンサに至る。フォーカス演算に用いるデフォーカス量は、センサの出力を演算することによって求められる。マイクロコンピュータ１２３は演算結果を評価してＡＦ駆動部１０２に指示し、フォーカスレンズを駆動させる。
【００２０】
１１０はフォーカルプレーンシャッタである。１１１はシャッタ駆動回路であり、フォーカルプレーンシャッタ１１０を駆動する。シャッタの開口時間はマイクロコンピュータ１２３によって、制御される。
【００２１】
１１２は撮像素子である。撮像素子１１２には、ＣＣＤやＣＭＯＳセンサなどが用いられ、撮影レンズ１０１によって結像された被写体像を電気信号に変換する。１１３はクランプ回路である。
【００２２】
１１４はＡＧＣ回路である。クランプ回路１１３やＡＧＣ回路１１４は、Ａ／Ｄ変換をする前の基本的なアナログ信号処理を行い、マイクロコンピュータ１２３により、クランプレベルやＡＧＣ基準レベルの変更が行われる。１１５はＡ／Ｄ変換器である。Ａ／Ｄ変換器１１５は撮像素子１１２のアナログ出力信号をデジタル信号に変換する。１１６は映像・音声信号処理回路であり、ゲートアレイなどのロジックデバイスにより実現される。
１１７はＥＶＦ駆動回路である。１１８はＥＶＦ（電子ビューファインダ）モニタである。
【００２３】
１１９はメモリコントローラである。１２０はメモリである。１２１はコンピュータ等と接続可能な外部インタフェースである。１２２はバッファメモリである。映像・音声信号処理回路１１６は、デジタル化された画像データに、フィルター処理、色変換処理、ガンマ処理を行うと共に、ＪＰＥＧなどの圧縮処理を行い、メモリコントローラ１１９に出力する。
【００２４】
映像・音声信号処理回路１１６は、マイク１３２、または、音声ライン入力１３３からの音声信号の圧縮処理を行い、メモリコントローラ１１９に出力する。映像・音声信号処理回路１１６は、撮像素子１１２からの映像信号や、メモリーコントローラ１１９から逆に入力される画像データを、ＥＶＦ駆動回路１１７を通してＥＶＦ（電子ビューファインダ）モニタ１１８に出力することも可能である。これらの機能切り替えはマイクロコンピュータ１２３の指示により行われる。
【００２５】
映像・音声信号処理回路１１６は、必要に応じて撮像素子１１２の信号の露出情報やホワイトバランスなどの情報をマイクロコンピュータ１２３に出力することが可能である。それらの情報を基にマイクロコンピュータ１２３はホワイトバランスやゲイン調整の指示を行う。連続撮影動作の場合においては、一旦、未処理画像のままバッファメモリ１２２に撮影データを格納し、メモリコントローラ１１９を通して未処理の画像データを読み出し、映像・音声信号処理回路１１６にて画像処理や圧縮処理を行い連続撮影を行う。連像撮影枚数は、バッファメモリの大きさに左右される。
【００２６】
映像・音声信号処理回路１１６は、マイク１３２、または、音声ライン入力１３３からの音声データを、DA変換135を通してスピーカー136に出力することも可能である。
【００２７】
メモリコントローラ１１９では、映像・音声信号処理回路１１６から入力された未処理のデジタル画像・音声データをバッファメモリに格納し、処理済みのデジタル画像・音声データをメモリ１２０に格納する。また、逆にバッファメモリ１２２やメモリ１２０から画像・音声データを映像・音声信号処理回路部１１６に出力する。メモリ１２０は取り外し可能である場合もある。メモリコントローラ１１９は、コンピュータ等と接続可能な外部インタフェース１２１を介してメモリ１２０に記憶されている画像・音声を出力可能である。
【００２８】
１２３はマイクロコンピュータである。１２４は操作部材である。操作部材１２４は、マイクロコンピュータ１２３にその状態を伝え、マイクロコンピュータ１２３はその操作部材の変化に応じて各部をコントロールする。１２５はスイッチ１（以後ＳＷ１）である。
【００２９】
１２６はスイッチ２（以後ＳＷ２）である。スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカスの動作を行ったり、測光動作を行う。
【００３０】
スイッチＳＷ１，ＳＷ２が共にオンの状態はレリーズボタンの全押し状態であり、画像を記録するためのレリーズボタンオン状態である。この状態で撮影が行われる。またスイッチＳＷ１，ＳＷ２がＯＮし続けている間は、連続撮影動作が行われる。操作部材１２４には、他に、ＩＳＯ設定ボタン、画像サイズ設定ボタン、画質設定ボタン、情報表示ボタンなど不図示のスイッチが接続されており、スイッチの状態が検出されている。
【００３１】
１２７は液晶駆動回路である。１２８は外部液晶表示部材である。１２９はファインダー内液晶表示部材である。液晶駆動回路１２７は、マイクロコンピュータ１２３の表示内容命令に従って、外部液晶表示部材１２８やファインダー内液晶表示部材１２９を駆動する。また、ファインダー内液晶表示部材１２９には、不図示のＬＥＤなどのバックライトが配置されており、そのＬＥＤも液晶駆動回路１２７で駆動される。マイクロコンピュータ１２３は撮影前に設定されているＩＳＯ感度、画像サイズ、画質に応じた、画像サイズの予測値データをもとに、メモリコントローラ１１９を通して、メモリの容量を確認した上で撮影可能残数を演算することができる。必要に応じて外部液晶表示部材１２８、ファインダー内液晶表示部材１２９にも表示することができる。
【００３２】
１３０は不揮発性メモリ（ＥＥＰＲＯＭ）で、カメラに電源が入れられていない状態でも、データを保存することができる。１３１は電源部である。電源部１３１は、各ＩＣや駆動系に必要な電源を供給する。１３２はマイクである。１３３は音声のライン入力である。１３４はＡ／Ｄ変換器である。Ａ／Ｄ変換器１３３はマイク１３２、または、音声ライン入力１３３のアナログ出力信号をデジタル信号に変換する。１３５はＤ／Ａ変換器である。Ｄ／Ａ変換器はデジタル信号をアナログ出力信号に変換する。
【００３３】
１３６スピーカーである。１３７はパーソナルコンピュータや携帯電話・携帯情報端末に代表される外部機器である。前述のインターフェイス１２１を介してカメラの各種情報や画像データの送受信の相手となる。また通信回路を備えたカメラも同様に外部機器として用いることも可能であり、その場合にはカメラ同士で各種情報や画像データの送受信を行うことも可能である。
【００３４】
［実施例１］
以下、図２の概念図および図３ａのカメラのフローチャートを参照して、本発明の第1の実施例による、スマートフォンへのリサイズ画像転送について説明する。
【００３５】
外部機器（１３７）とカメラのインターフェイス（１２１）を有線（USBやEther、専用ケーブルなど)または無線（Wi-FiやBluetooth（登録商標）など）で接続すると、マイクロコンピュータ（１２３）が図３ａおよび図３ｂのフローチャートに示す動作を開始する。
【００３６】
まずは、図３ａのフローチャートを用いて撮像処理を説明する。ステップＳ１０１では、操作部材（１２４）にあるレリーズボタン押されているかを判断し、押されている場合は、Ｓ１０２に進み、押されていない場合は、撮像処理を終了する。
【００３７】
ステップＳ１０２では、撮像素子（１１２）からクランプレベル（１１３）やＡＧＣ基準レベル（１１４）の変更が行われたアナログ出力信号をＡ／Ｄ変換器（１１５）によりデジタル信号に変換する。
【００３８】
ステップＳ１０３では、ステップＳ１０２で変換されたデジタル信号を現像前の画像としてバッファメモリ（１２２）に記憶するし、Ｓ１０１へ進む。
【００３９】
次に、図３ｂのフローチャートを用いて、現像処理を説明する。ステップＳ２０１では、現像前の画像があるかをチェックし、ある場合はステップＳ２０２進み、ない場合は現像処理を終了する。
【００４０】
ステップＳ２０２では、ステップＳ１０３で記録した現像前の画像を、ユーザーにより定められた画質で現像し、ファイル記録モジュールに通知して、ステップＳ２０３に進む。
【００４１】
ファイル記録モジュールでは、ステップＳ２０２で通知された現像画像を順次メモリ（１２０）に記録する。
【００４２】
ステップＳ２０３では、カメラがスマートフォンと接続中かどうかを確認し、接続中であれば、ステップＳ２０４に進み、接続中でなければ、ステップＳ２０２で現像が終わっている現像前画像をバッファメモリ（１２２）から削除し、ステップＳ２０１に進む。
【００４３】
ステップＳ２０４では、現像した画像の評価を行い点数をつけ、すでに評価済みの画像がある場合は、その画像の点数と比較し、点数の高い画像をスマートフォン用への転送用画像として残し、点数が低い画像をバッファメモリ（１２２）から削除し、ステップＳ２０５に進む。ステップＳ２０４での画像評価の方法としては、ＡＦが合っている、手ぶれしていない、人物が笑顔等を総合的に判断して、評価点をつける。
【００４４】
ステップＳ２０５では、スマートフォンへ画像転送中かどうかを判断し、転送中であればステップＳ２０１に進み、転送中でなければステップＳ２０６へ進む。
【００４５】
ステップＳ２０６では、Ｓ２０４で選ばれた、転送用画像をスマートフォン用の画像サイズにリサイズして現像し、スマートフォン用の通信モジュールに通知し、ステップＳ２０１に進む。
【００４６】
スマートフォン用の通信モジュールでは、ステップＳ２０６で通知された画像を、インターフェース（１２１）より、スマートフォン（１３７）に転送する。
【００４７】
以上、説明したように、本実施例に対応する発明は、カメラとスマートフォンを接続し、撮影中のリサイズ画像をスマートフォンに転送する場合において、全ての撮影画像のなかからユーザーに最適な撮影画像を効率よく転送することが出来る。
【００４８】
［実施例２］
実施例１では、転送中はスマートフォン用のリサイズ画像を作成しないとしたが、連続撮影が終了し、新たな画像が撮影されていない場合は、カメラの連続撮影枚数に影響しないため、現像中のすべての画像のリサイズ画像を作成し、スマートフォンに転送してもよい。
【００４９】
また、連続撮影終了後は、スマートフォンに未転送の画像全てをメモリ（１２０）から読みだし、リサイズ画像を作成し、スマートフォンに転送してもよい。
【００５０】
以上、説明したように、本実施例に対応する発明は、カメラとスマートフォンを接続し、撮影中のリサイズ画像をスマートフォンに転送する場合において、カメラの連続撮影枚数に影響を与えず、効率よくリサイズ画像をスマートフォンに転送することが出来る。
【００５１】
以上、本発明の好ましい実施形態について説明したが、本発明はこれらの実施形態に限定されず、その要旨の範囲内で種々の変形及び変更が可能である。
【符号の説明】
【００５２】
１０１  撮影レンズ
１０２  ＡＦ駆動部
１０３  ズーム駆動部
１０４  絞り
１０５  絞り駆動部
１０６  主ミラー
１０７  サブミラー
１０８  ペンタプリズム
１０９  焦点検出回路
１１０  シャッタ
１１１  シャッタ駆動回路
１１２  撮像素子
１１３  クランプ回路
１１４  ＡＧＣ回路
１１５  Ａ／Ｄ変換器
１１６  映像信号処理回路
１１７  ＥＶＦ駆動回路
１１８  ＥＶＦモニタ
１１９  メモリーコントローラ
１２０  メモリ
１２１  外部インターフェース
１２２  バッファメモリ
１２３  マイクロコンピュータ
１２４  操作部材
１２５  スイッチ１
１２６  スイッチ２
１２７  液晶駆動回路
１２８  外部液晶表示
１２９  ファインダー内液晶表示
１３０  不揮発性メモリ
１３１  電源部
１３２  マイク
１３３  音声ライン入力
１３４  ＡＤ変換
１３５  ＤＡ変換
１３６  スピーカー
１３７  外部機器
２０１  撮像装置
２０２  外部機器
【図１】
2014171142.tif 000003
【図２】
2014171142.tif 000004
【図３ａ】
2014171142.tif 000005
【図３ｂ】
2014171142.tif 000006
【図４】
2014171142.tif 000007